(57)【要約】【課題】ケーブルの余長を容易に再度収容でき、さらにスムーズに引き出すことができるケーブルの梱包体を提供する。【解決手段】ケーブル１を８の字状に巻きつけてなる円筒形のケーブル束２１と、ケーブル１を収容する収容容器２８と、を備えるケーブルの梱包体２０Ａである。収容容器２８は、ケーブル束２１を収容するケーブル束収容部２８ａと、収容容器２８から一旦引き出したケーブルの余長を再度収容する余長収容部２８ｂと、を有し、余長収容部２８ｂは、開口部２７を備える。【選択図】図２
2010120702.tif 000002
【特許請求の範囲】
【請求項１】
ケーブルを収容する収容容器と、
前記ケーブルを８の字状に巻きつけてなる円筒形のケーブル束と、
を備えるケーブルの梱包体であって、
前記収容容器は、前記ケーブル束を収容するケーブル束収容部と、
前記収容容器から一旦引き出した前記ケーブルの余長を再度収容する余長収容部と、
を有し、
前記余長収容部は、前記ケーブルの余長を出し入れするための開口部を備えることを特徴とするケーブルの梱包体。
【請求項２】
前記ケーブル束は、前記ケーブルを引き出すガイド部を備え、
前記ガイド部は前記ケーブル束収容部と前記余長収容部の境界部に設置されていることを特徴とする請求項１に記載のケーブルの梱包体。
【発明の詳細な説明】
【技術分野】
【０００１】
本発明は、光ファイバケーブル等のケーブルの梱包体に関する。
【背景技術】
【０００２】
ケーブルの梱包体として、ケーブルを８の字型に巻きつけた状態で収納容器に収容したものがある（例えば、特許文献１、特許文献２参照）。
本技術は、ケーブルを樽状のマンドレルに８の字状を描くようにケーブルを巻き付けながら、マンドレルの回転速度と巻き付けるピッチを制御することによって、束の半径方向の一箇所に穴を形成しつつ、束を形成するものである。
【０００３】
ケーブルの巻き終わり端はこの束を収容する段ボール等の箱状収容容器に固定される。また、箱状収容容器には上記穴と対応する位置に穴が設けられていおり、この箱状収容容器及び束の穴に筒状のガイド部材が挿入される。そして、ケーブルの巻き始め端がこのカイド部材に挿通され、箱状収容容器の外部に引き出されることで、束の内側の部分から順に崩れるようにして、ケーブルが繰り出される。
【０００４】
本技術を用いると、ケーブルが８の字型に巻きつけられているので、ケーブルを繰り出した際に捩れが発生せず、また繰り出しをストップさせてもリールのように慣性で空回りしケーブルが巻き崩れることがなく良好に繰り出せることが知られている。このため、ＬＡＮケーブル、光ドロップケーブル、光インドアケーブル等のケーブルに一般的に用いられている。
【特許文献１】特開２００１−６３７８４号公報
【特許文献２】米国特許第３１７８１３０号明細書
【発明の開示】
【発明が解決しようとする課題】
【０００５】
ところで、このようにケーブルを８の字型に巻きつけた状態で箱状収納容器に収容した場合、一旦引き出したケーブルを再度箱状収納容器内に押し込むと、ケーブルが箱状収容容器内で絡み、ケーブルに曲げ癖や結び目が生じてしまう問題が生じる。
したがって、一旦引き出したケーブルの余長は箱状収容容器内に再び押し込むことはせず、切断して廃棄してしまうか、箱の外部に固定するなどの処置がされていた。
【０００６】
しかしながら、ケーブルの余長は長い場合は１０ｍ以上となることもあり、廃棄してしまうことには問題があり、また、箱の外部に固定した場合も運搬時にケーブルが引っかかって絡む原因となったり、再度ケーブルの余長を使用する場合に、スムーズに引き出すことができないという問題があった。
【０００７】
本発明は、上記に鑑みてなされたものであって、ケーブルの余長を容易に再度収容でき、さらにスムーズに引き出すことができるケーブルの梱包体を提供することを目的とする。
【課題を解決するための手段】
【０００８】
以上の課題を解決するため、請求項１に記載の発明は、ケーブルの梱包体であって、ケーブルを収容する収容容器と、前記ケーブルを８の字状に巻きつけてなる円筒形のケーブル束と、を備えるケーブルの梱包体であって、
前記収容容器は、前記ケーブル束を収容するケーブル束収容部と、前記収容容器から一旦引き出した前記ケーブルの余長を再度収容する余長収容部と、を有し、前記余長収容部は、前記ケーブルの余長を出し入れするための開口部を備えることを特徴とする。
【０００９】
請求項２に記載の発明は、請求項１に記載のケーブルの梱包体であって、前記ケーブル束は、前記ケーブルをケーブル束収容部の外部に引き出すガイド部を備え、前記ガイド部は前記ケーブル束収容部と前記余長収容部の境界部に設置されていることを特徴とする。
【発明の効果】
【００１０】
本発明によれば、ケーブルの余長を容易に再度収納でき、さらにスムーズに引き出すことができる梱包体を実現できるという効果を奏する。
【発明を実施するための最良の形態】
【００１１】
以下、本発明について詳細に説明する。
〔第１実施形態〕
１０００ｍの図１に示すインドアケーブル１を８の字型に巻きつけたケーブル束を形成した。図１はインドアケーブル１の長さ方向と垂直な面の断面図である。図１に示すように、インドアケーブル１は、光ファイバ心線１１と、２本のテンションメンバ１２と、これらを一括被覆するシース１３とから概略構成される。
【００１２】
インドアケーブル１の断面における長尺方向の両方向に、光ファイバ心線１１に対して離間してそれぞれテンションメンバ１２が配置されている。テンションメンバ１２は、インドアケーブル１に作用する張力を負担する。テンションメンバ１２には、例えば亜鉛メッキ鋼線等の鋼線や、繊維強化プラスチック（ＦＲＰ）等を用いることができる。
【００１３】
シース１３は、光ファイバ心線１１及びテンションメンバ１２を被覆するものであり、例えばノンハロゲン難燃ポリオレフィン等の熱可塑性樹脂を用いることができる。シース１３の中央部には、ノッチ１４が形成されており、ノッチ１４からシース１３を破断することにより容易に光ファイバ心線１１を取り出すことが可能である。
なお、インドアケーブル１の曲げ剛性（ＩＥＣ６０７９４−１−２  Ｅ１７Ｃ準拠  Ｄ＝４０ｍｍにて実施）は９２ｇｆ（９０．２ｃＮ）である。
【００１４】
図２は本発明の第１の実施形態に係るケーブルの梱包体２０Ａを示す図であり、図２（ａ）は斜視図、図２（ｂ）は横断面図である。図２に示すように、ケーブルの梱包体２０Ａは、ケーブル束２１と、箱状収容容器２８と、ガイド部材２９と等からなる。
また、箱状収容容器２８は、ケーブル束を収容するケーブル束収容部２８ａと、一旦引き出したケーブルの余長を再度収容する余長収容部２８ｂとを有し、余長収容部２８ｂは、開口部２７を備える。ケーブル束収容部２８ａと余長収容部２８ｂは境界部２８ｃで仕切られている。
【００１５】
箱状収容容器２８は、直方体形状をしており、例えばダンボール製の箱を用いることができる。
本実施形態例においては厚さ約５ｍｍのダンボールを用い、箱状収容容器２８の外寸はたとえば幅Ｗ２８５ｍｍ、奥行きＤ３５５ｍｍ、高さＨ３１０ｍｍである。また、このうち余長収容部２８ｂの奥行きＤ'はたとえば２５ｍｍ（内寸２０ｍｍ）である。
箱状収容容器２８の大きさは収納するケーブルの条長や曲げ剛性等により、適宜選択される。
【００１６】
また、余長収容部２８ｂのガイド部材２９と対向する位置には、ケーブルの余長を出し入れするための開口部２７が設けられている。開口部２７は略円形であり、その直径は約２１０ｍｍである。
開口部２７の直径はスムーズにケーブルの余長を出し入れするために幅Ｗの１／２以上であることが好ましい。また、安定してケーブルの余長を収容するために奥行きＤ'と同程度のケーブル収容しろを設けることが好ましいことから開口部２７直径は（Ｗ−２×Ｄ'（内寸））以下であることが好ましい。
【００１７】
図３はケーブル束２１の斜視図である。ケーブル束２１は、インドアケーブル１を樽状のマンドレル（図示せず）に８の字型に巻きつけた後、マンドレルから取り外したものである。マンドレルの回転速度と巻き付けるピッチを制御することによってケーブル束２１には穴が形成され、マンドレルからケーブル取り外した後にこの穴にカイド部材２９が取り付けられる。
【００１８】
箱状収容容器２８の境界部２８ｃには、ガイド部材２９を挿通させる穴が設けられている。箱状収容容器２８のケーブル束収容部２８ａにケーブル束２１を収容する際には境界部２８ｃに設けられた穴にガイド部材２９を挿通させ収容する。
このように境界部２８ｃにガイド部材２９を設置することにより、図２（ｂ）に示すように、ガイド部材２９が余長収容部２８ｂ内に突き出すように設置され、箱状収容容器２８からは出っ張らない構成とすることができる。
これにより、箱状収容容器２８を複数個並べても隙間が生じず、安定して運搬することができる。
【００１９】
インドアケーブル１の内側端部（巻き始め端）はガイド部材２９に挿通され、ガイド部材２９を通ってケーブル束収容部２８ａから引き出され、さらに余長収容部２８ｂに備えられた開口部２７から箱状収容容器２８の外部へ導かれる。このように、インドアケーブル１をガイド部材２９から引き出すことで、ケーブル束２１の内側の部分から順に崩れるようにして、インドアケーブル１が繰り出される。
【００２０】
また、一旦引き出したインドアケーブルの余長を再度収容する際には、開口部２７からインドアケーブル１の余長をガイド部材２９側から順に余長収容部２８ｂに収容されるよう円を描くように収容し、ケーブルの余長の全てを余長収容部２８ｂ内に収容する。そして、ケーブルの先端はガイド部材２９に設けられたとめ具２５に固定する。
このようにすることで、再度ケーブルの余長を引き出す場合に、開口部２７からスムーズにケーブルの余長を引き出すことができ、引き続きガイド部材２９から新たなケーブルを引き出すことができる。これにより、ケーブルが絡み、曲げ癖や結び目が生じてしまう頻度が低減される。
また、本第１実施形態によれば、ケーブルの余長の出し入れにおいて、余長収容部２８ｂ内においてケーブルがガイド部材２９に引っかかりにくい。したがって、余長収容部２８ｂの幅Ｄ'を小さくすることができ、箱状収容容器２８のコンパックト化が可能である。
さらに、インドアケーブル１の余長を収容し、再度使用するに際して箱を開け閉めする必要が無く、作業性が非常によい。
【００２１】
〔第２実施形態〕
図４は本発明の第２の実施形態に係るケーブルの梱包体２０Ｂを示す斜視図である。なお、箱状収容容器２８の内部の様子は図２と同様であるため記載を省略している。横断面図は図２（ｂ）と同様である。また、ケーブル束２１、ガイド部材２９は第１実施形態と同様であるので説明を割愛する。
図４に示すように、第２実施形態では、余長収容部２８ｂは、ガイド部と対向する位置に備えられた正面開口部２７ａと、余長収容部２８ｂの上面に備えられた上面開口部２７ｂの２つの開口部を備えている。
また、正面開口部２７ａと、上面開口部２７ｂはケーブルが通過することが可能な幅を有する溝２６によりつながれている。
【００２２】
箱状収容容器２８には厚さ約５ｍｍのダンボールを用い、箱状収容容器２８の大きさはたとえば幅Ｗ２８５ｍｍ、奥行きＤ３６５ｍｍ、高さＨ３１０ｍｍである。また、このうち余長収容部２８ｂの奥行きＤ'はたとえば３５ｍｍ（内寸３０ｍｍ）である。
【００２３】
また、正面開口部２７ａは略円形であり、その直径はたとえば２１０ｍｍである。ケーブルの先端をガイド部材２９に設けられたとめ具に固定する作業を考慮すれば、正面開口部２７ａの直径は幅Ｗの１／２以上が好ましい。また、安定してケーブルの余長を収容するために正面開口部２７ａは（Ｗ−２×Ｄ'（内寸））以下であることが好ましい。
さらに、上面開口部２７ｂは略長方形であり、たとえば長辺は２３０ｍｍ、短辺は５０ｍｍである。上面開口部２７ｂの大きさはスムーズにケーブルの余長を収容するために長辺が幅Ｗの２／３以上であり、短辺は奥行きＤ'の２／３以上であることが好ましい。
【００２４】
本実施形態においてもガイド部材２９が余長収容部２８ｂ内に突き出すように設置され、箱状収容容器２８からは出っ張らない構成とすることができる。
これにより、箱状収容容器２８を複数個並べても隙間が生じず、安定して運搬することができる。
【００２５】
本第２実施形態において、インドアケーブル１を収容容器２８の外部へ引き出す場合は、実施形態例１と同様に、インドアケーブル１の内側端部（巻き始め端）をガイド部材２９に挿通し、ケーブル束収容部２８ａから引き出し、さらに余長収容部２８ｂに備えられた正面開口部２７ａから箱状収容容器２８の外部へ導く。
【００２６】
一方、ケーブルの余長を収容する際には、あらかじめケーブルの余長を余長収容部２８ｂの大きさに合わせて円形を描くように束ねておき、これを上面開口部２７ｂおよび溝２６より挿入し、ケーブルの余長の全てを余長収容部２８ｂ内に収容する。そして、正面開口部２７ａを用いてケーブルの先端をガイド部材２９に設けられたとめ具に固定する。
このようにすることで、再度ケーブルの余長を引き出す場合に、正面開口部２７ａからスムーズにケーブルの余長を引き出すことができ、引き続きガイド部材２９から新たなケーブルを引き出すことができる。これにより、ケーブルが絡み、曲げ癖や結び目が生じてしまう頻度が低減される。
さらに、インドアケーブルの余長を収容し、再度使用するに際して箱を開け閉めする必要が無く、作業性が非常によい。
【００２７】
なお、実施形態例として光インドアケーブルを用いたが、本発明はＬＡＮケーブル、光ドロップケーブル等のケーブルに一般的に用いることができる。
【図面の簡単な説明】
【００２８】
【図１】本発明の実施形態に係るインドアケーブル１の長さ方向と垂直な断面図である。
【図２】本発明の第１実施形態に係るケーブルの梱包体２０Ａを示す図であり（ａ）は斜視図、（ｂ）は横断面図である。
【図３】ケーブル束２１の斜視図である。
【図４】本発明の第２実施形態に係るケーブルの梱包体２０Ｂを示す斜視図である。
【符号の説明】
【００２９】
１  インドアケーブル
２０Ａ，２０Ｂ  ケーブルの梱包体
２１  ケーブル束
２５  とめ具
２６  溝
２７  開口部
２７ａ  正面開口部
２７ｂ  上面開口部
２８  箱状収容容器
２８ａ  ケーブル束収容部
２８ｂ  余長収容部
２９  ガイド部材
【図１】
2010120702.tif 000003
【図２】
2010120702.tif 000004
【図３】
2010120702.tif 000005
【図４】
2010120702.tif 000006
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
ケーブルを収容する収容容器と、
前記ケーブルを８の字状に巻きつけてなる円筒形のケーブル束と、
を備えるケーブルの梱包体であって、
前記収容容器は、前記ケーブル束を収容するケーブル束収容部と、
前記収容容器から一旦引き出した前記ケーブルの余長を再度収容する余長収容部と、
を有し、
前記余長収容部は、前記ケーブルの余長を出し入れするための開口部を備え、
前記ケーブル束は、前記ケーブルを引き出すガイド部を備え、
前記ガイド部は前記ケーブル束収容部と前記余長収容部の境界部に設置されていることを特徴とするケーブルの梱包体。
【請求項２】
前記開口部の大きさは、前記余長収容部の幅よりも小さいことを特徴とする請求項１に記載のケーブルの梱包体。
【請求項３】
前記開口部は、略円形であり、前記余長収容部の幅をＷ、前記余長収容部の奥行をＤ’とすると、前記開口部の直径は、Ｗ／２以上であり、かつ（Ｗ−２ｘＤ’）以下であることを特徴とする請求項１または請求項２に記載のケーブルの梱包体。
【手続補正２】
【補正対象書類名】明細書
【補正対象項目名】０００８
【補正方法】変更
【補正の内容】
【０００８】
以上の課題を解決するため、請求項１記載の発明は、ケーブルの梱包体であって、ケーブルを収容する収容容器と、前記ケーブルを８の字状に巻きつけてなる円筒形のケーブル束と、を備えるケーブルの梱包体であって、
前記収容容器は、前記ケーブル束を収容するケーブル束収容部と、前記収容容器から一旦引き出した前記ケーブルの余長を再度収容する余長収容部と、を有し、前記余長収容部は、前記ケーブルの余長を出し入れするための開口部を備え、前記ケーブル束は、前記ケーブルを引き出すガイド部を備え、前記ガイド部は前記ケーブル束収容部と前記余長収容部の境界部に設置されていることを特徴とする。
【手続補正３】
【補正対象書類名】明細書
【補正対象項目名】０００９
【補正方法】変更
【補正の内容】
【０００９】
請求項２記載の発明は、請求項１記載のケーブル梱包体であって、前記開口部の大きさは、前記余長収容部の幅よりも小さいことを特徴とする。
請求項３記載の発明は、請求項１記載のケーブル梱包体であって、前記開口部は、略円形であり、前記余長収容部の幅をＷ、前記余長収容部の奥行をＤ’とすると、前記開口部の直径は、Ｗ／２以上であり、かつ（Ｗ−２ｘＤ’）以下であることを特徴とする。